(57)【特許請求の範囲】
【請求項１】
使用される薬剤を記憶部に登録する登録手段と、
前記登録手段により登録された薬剤の各々を、表示部にリスト表示する表示制御手段と、
前記登録手段により登録された薬剤のうち、指定された薬剤の登録を取り消す取消操作を受け付ける受付手段と、
前記リスト表示された薬剤に関する伝票を出力する出力制御手段と、
を備え、
前記登録手段は、前記伝票の出力が指示されたタイミングで、それまでに前記取消操作で指定された各薬剤を前記記憶部から一度に取り消し、
前記表示制御手段は、前記取消操作で指定された薬剤に対応付けて、登録を取り消したことを示す取消済情報を表示し、
前記出力制御手段は、前記リスト表示された薬剤のうち、前記取消済情報が対応付けされていない薬剤について前記伝票を出力する薬剤登録装置。
【請求項２】
前記受付手段は、前記取消操作の対象となった薬剤のうち、指定された薬剤の取り消しを解除する解除操作を受け付け、
前記登録手段は、前記解除操作で指定された薬剤を前記記憶部に再登録し、
前記表示制御手段は、前記解除操作で指定された薬剤の前記取消済情報を消去する請求項１に記載の薬剤登録装置。
【請求項３】
前記表示制御手段は、前記取消操作で指定された薬剤の表記に対し、前記取消済情報として取り消し線を付加する請求項１又は２に記載の薬剤登録装置。
【請求項４】
前記受付手段は、指定された薬剤の登録状態に応じて、前記登録の取り消し又は当該取り消しの解除を受け付けるための操作子を前記表示部に表示し、当該操作子に対する操作を受け付ける請求項１〜３の何れか一項に記載の薬剤登録装置。
【請求項５】
コンピュータを、
使用される薬剤を記憶部に登録する登録手段と、
前記登録手段により登録された薬剤の各々を、表示部にリスト表示する表示制御手段と、
前記登録手段により登録された薬剤のうち、指定された薬剤の登録を取り消す取消操作を受け付ける受付手段と、
前記リスト表示された薬剤に関する伝票を出力する出力制御手段と、
して機能させ、
前記登録手段は、前記伝票の出力が指示されたタイミングで、それまでに前記取消操作で指定された各薬剤を前記記憶部から一度に取り消し、
前記表示制御手段は、前記取消操作で指定された薬剤に対応付けて、登録を取り消したことを示す取消済情報を表示し、
前記出力制御手段は、前記リスト表示された薬剤のうち、前記取消済情報が対応付けされていない薬剤について前記伝票を出力するプログラム。
【発明の詳細な説明】
【技術分野】
【０００１】
本発明の実施形態は、薬剤登録装置及びプログラムに関する。
【背景技術】
【０００２】
従来、薬剤の取り違い等の過誤の発生を防止するために幾つかのシステムが提案されている。例えば、特許文献１記載のシステムにおいては、投薬するために取揃えた薬剤の容器に付されたバーコードで特定される薬剤情報と、投薬すべき薬剤の情報とを照合し、薬剤の誤使用を防止している。
【０００３】
手術室においては、看護師が、手術で使用された薬剤の空容器を手術後に集め、使用薬剤についての集計結果を伝票に手作業で記入した後、伝票を医事課へ提出する作業を行っている。また、薬剤の使用についての記録は看護師や薬剤師等に任されており、その薬剤の薬剤名や数量をデータベース等へ登録することが行われている。
【０００４】
ところで、薬剤の登録を行った後に、その登録の取り消しを行うような場合がある。例えば、使用前の薬剤を登録してしまった場合や、同じ薬剤を重複して登録してしまったような場合等では、登録した薬剤を取り消す必要がある。しかしながら、上記従来技術においては、登録された薬剤の取り消しについては何ら考慮されておらず、利便性の上で改善の余地があった。
【発明の概要】
【発明が解決しようとする課題】
【０００５】
本発明が解決しようとする課題は、登録された薬剤の取り消しを、容易且つ効率的に行うことが可能な薬剤登録装置及びプログラムを提供することである。
【課題を解決するための手段】
【０００６】
実施形態の薬剤登録装置は、登録手段と、表示制御手段と、受付手段と、出力制御手段とを備える。登録手段は、使用される薬剤を記憶部に登録する。表示制御手段は、前記登録手段により登録された前記薬剤の各々を、表示部にリスト表示する。受付手段は、前記登録手段により登録された薬剤のうち、指定された薬剤の登録を取り消す取消操作を受け付ける。出力制御手段は、前記リスト表示された薬剤に関する伝票を出力する。また、登録手段は、前記伝票の出力が指示されたタイミングで、それまでに前記取消操作で指定された各薬剤を前記記憶部から一度に取り消す。表示制御手段は、前記取消操作で指定された薬剤に対応付けて、登録を取り消したことを示す取消済情報を表示する。出力制御手段は、前記リスト表示された薬剤のうち、前記取消済情報が対応付けされていない薬剤について前記伝票を出力する。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、薬剤登録装置における使用薬剤登録処理の流れを示すフローチャートである。
【図６】図６は、ログイン画面の一例を示す説明図である。
【図７】図７は、患者登録画面の一例を示す説明図である。
【図８】図８は、薬剤登録画面の一例を示す説明図である。
【図９】図９は、薬剤確認画面の一例を示す説明図である。
【図１０】図１０は、薬剤確認画面の一例を示す説明図である。
【図１１】図１１は、薬剤確認画面の一例を示す説明図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援及び監査を行うための装置である。薬剤部サーバ１９は、薬剤部に配置され薬剤払出等を管理するための装置である。また、薬剤部サーバ１９は、薬剤のコード情報又は薬剤の外面情報（薬剤のラベルを表す特徴量、薬剤の色合いや表面の凹凸状況等の表面の状態を表す特徴量など）に対応付けて薬剤に係る薬剤情報（名称、量など）をテーブルに登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、看護師によって手術中に使用された薬剤の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１２】
装置本体部２４は、オペレータとなる看護師が各種操作を行うとともに、手術中に使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサ（図示せず）とＬＥＤ（Light  Emitting  Diode）などの光源（図示せず）とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１７】
ここで、タッチパネルディスプレイ２１、スキャナ２２、プリンタ２３及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１８】
なお、タッチパネルディスプレイ２１は、表示部であるディスプレイ３５及びタッチパネル３６を主体に構成されている。
【００１９】
また、外部記憶装置３４は、手術中に使用された薬剤についての集計結果を記憶する使用薬剤記憶テーブルＴを備えている。
【００２０】
このような構成により、薬剤登録装置２０のＭＰＵ３１は、ＲＯＭ３２や外部記憶装置３４に記憶された制御プログラムに従って動作することで、手術中に使用された薬剤の登録支援を行う。
【００２１】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、出力制御手段３１５として機能する。また、ＭＰＵ３１は、タッチパネルディスプレイ２１、登録手段３１１及び表示制御手段３１２と協働することで、オペレータ（看護師）からの指示操作を受け付ける受付手段（図示せず）として機能する。
【００２２】
読取手段３１３は、スキャナ２２がスキャンした撮像画像から、手術に使用される薬剤に付されたコードシンボルのコード情報又は手術に使用される薬剤の全部又は一部の外面情報（薬剤のラベルを表す特徴量、薬剤の色合いや表面の凹凸状況等の表面の状態を表す特徴量など）を読み取る。バーコードや二次元コードなどのコードシンボルからコード情報を検出する処理については、従来からある技術なのでここでの説明は省略する。
【００２３】
識別手段３１４は、読取手段３１３による読み取り結果として得られたコード情報又は外面情報（以下、薬剤ＩＤという）に基づいて薬剤を識別する。コード情報に基づいて薬剤を識別する方法は、予めコード情報に対応付けて薬剤の薬剤情報（名称、量など）をテーブルとして記憶しておき、コード情報に基づく薬剤の薬剤情報をテーブルから抽出するようにすればよい。また、外面情報（薬剤のラベルを表す特徴量、薬剤の色合いや表面の凹凸状況等の表面の状態を表す特徴量など）に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２４】
登録手段３１１は、識別手段３１４で識別された手術に使用される薬剤を、記憶部として機能する外部記憶装置３４の使用薬剤記憶テーブルＴに登録する。また、登録手段３１１は、登録が完了した薬剤の何れかに対し、登録の取り消しを指示する取消操作を受け付けると、当該薬剤を使用薬剤記憶テーブルＴから削除することで登録の取り消しを行う。さらに、登録手段３１１は、取消操作の対象となった薬剤の何れかに対し、取り消しの解除を指示する解除操作を受け付けると、当該薬剤を使用薬剤記憶テーブルＴに再登録する。
【００２５】
表示制御手段３１２は、表示部であるディスプレイ３５に、登録手段３１１によって登録された薬剤に係る薬剤情報をリスト表示する。また、表示制御手段３１２は、ディスプレイ３５に、薬剤登録に係る各種のＧＵＩ（グラフィカルユーザインタフェース）を表示する。また、表示制御手段３１２は、薬剤の取消操作に応じて、登録を取り消したことを示す取消済情報を当該薬剤の薬剤情報に対応付けて表示する。さらに、表示制御手段３１２は、取消操作の対象となった薬剤に対し解除操作を受け付けると、当該薬剤の薬剤情報に対応付けて表示していた取消済情報を消去する。
【００２６】
出力制御手段３１５は、リスト表示された薬剤のうち、登録が完了した薬剤の内訳（薬剤ＩＤや薬剤情報、数量等）を示す薬剤伝票を出力する。なお、薬剤伝票及び借用伝票の出力は、プリンタ２３を用いた印字出力に限らず、通信ネットワーク１７を介して外部装置に送信出力する形態としてもよい。
【００２７】
次に、上述した実施形態にかかる薬剤登録装置２０のＭＰＵ３１が制御プログラムに従って実行する使用薬剤登録処理について説明する。実施形態にかかる薬剤登録装置２０は、手術中に使用された薬剤のコードシンボルや薬剤の画像などをスキャンし、手術後の使用薬剤登録処理を実行する。
【００２８】
図５は、薬剤登録装置２０のＭＰＵ３１が制御プログラムに従って実行する使用薬剤登録処理の流れを示すフローチャートである。図５に示すように、薬剤登録装置２０のＭＰＵ３１は、初期状態として、ディスプレイ３５にログイン画面を表示する（ステップＳ１）。薬剤登録装置２０の操作が許可されている各オペレータは、ＩＤカードを有し、ＩＤカードの認証により薬剤登録装置２０の操作が可能になるものとする。
【００２９】
図６は、ログイン画面Ｇ１の一例を示す説明図である。ログイン画面Ｇ１には、図６に示すように、「ＩＤカードを読み取らせてください。」というガイドコメント並びにＩＤカードに付されている看護師ＩＤのコードシンボルをスキャナ２２に読み込ませることを促すガイド画像が表示されている。
【００３０】
したがって、オペレータは、ログイン処理を行うために、自己のＩＤカードに付された看護師ＩＤのコードシンボルをスキャナ２２の前にかざして、看護師ＩＤを読み込ませる。
【００３１】
薬剤登録装置２０のＭＰＵ３１は、ログイン処理により看護師ＩＤを認証すると（ステップＳ２；Ｙｅｓ）、ディスプレイ３５の表示画面に患者登録画面を表示する（ステップＳ３）。なお、薬剤登録装置２０のＭＰＵ３１は、看護師ＩＤが認証できない場合（ステップＳ２；Ｎｏ）、ステップＳ１に戻り、ログイン画面Ｇ１を再度表示する。
【００３２】
図７は、患者登録画面Ｇ２の一例を示す説明図である。患者登録画面Ｇ２には、図７に示すように、「患者ＩＤを読み取らせてください。」というガイドコメント並びに患者のリストバンドに付されている患者ＩＤのコードシンボルをスキャナ２２に読み込ませることを促すガイド画像が表示されている。
【００３３】
したがって、オペレータは、患者登録処理を行うために、患者のリストバンドに付されている患者ＩＤのコードシンボルをスキャナ２２の前にかざして、患者ＩＤを読み込ませる。
【００３４】
薬剤登録装置２０のＭＰＵ３１は、患者登録処理により患者ＩＤを登録すると（ステップＳ４；Ｙｅｓ）、ディスプレイ３５の表示画面に手術中に追加使用された薬剤を登録するための薬剤登録画面を表示する（ステップＳ５）。なお、薬剤登録装置２０のＭＰＵ３１は、患者ＩＤが登録できない場合（ステップＳ４；Ｎｏ）、ステップＳ３に戻り、患者登録画面Ｇ２を再度表示する。
【００３５】
図８は、薬剤登録画面Ｇ３の一例を示す説明図である。薬剤登録画面Ｇ３には、図８に示すように、「薬剤登録開始」というガイドコメントとともに、薬剤に付されている薬剤ＩＤのコードシンボルをスキャナ２２に読み込ませることを促すガイド画像が表示されている。また、患者登録画面Ｇ２で読み取られた患者ＩＤと、この患者ＩＤから特定された患者の年齢や性別等の患者情報とが表示されている（以下同様）。
【００３６】
薬剤登録画面Ｇ３に基づき、オペレータは、薬剤登録処理を行うために、薬剤に付されている薬剤ＩＤのコードシンボルをスキャナ２２の前にかざして、薬剤ＩＤを読み込ませる。
【００３７】
薬剤登録装置２０のＭＰＵ３１は、薬剤ＩＤが読み込まれるまで待機する（ステップＳ６；Ｎｏ）。薬剤ＩＤが読み込まれると、薬剤登録装置２０のＭＰＵ３１は、その薬剤ＩＤに対応する薬剤情報をテーブルから抽出し、薬剤ＩＤと数量と対応付けてＲＡＭ３３等に保持する。そして、薬剤登録装置２０のＭＰＵ３１は、保持した薬剤ＩＤや薬剤情報を数量等とともに使用薬剤記憶テーブルＴに登録した後（ステップＳ６；Ｙｅｓ）、ディスプレイ３５の表示画面に、薬剤確認画面を表示する（ステップＳ７）。なお、薬剤登録装置２０のＭＰＵ３１は、ステップＳ７以降においても、スキャナ２２を介した薬剤ＩＤの読み込み動作をバックグラウンドで継続し、新たな薬剤が読み込まれる度に当該薬剤の登録を行う。
【００３８】
図９及び図１０は、薬剤確認画面Ｇ４の一例を示す説明図である。薬剤確認画面Ｇ４は、リスト表示欄Ａ１１と、合計点数欄Ａ１２と、取消ボタンＢ１１と、印刷ボタンＢ１３とを含む。リスト表示欄Ａ１１は、薬剤情報（名称、量等）が表示される薬剤名項目Ａ１１１と、薬剤の数量が表示される数量項目Ａ１１２と、後述する借用アイコンが表示される借用項目Ａ１１３とを有する。リスト表示欄Ａ１１には、登録された薬剤について取得した薬剤情報（名称、量等）が、その数量とともに、薬剤名項目Ａ１１１及び数量項目Ａ１１２にリスト表示されていく。また、薬剤登録装置２０のＭＰＵ３１は、登録した薬剤の数量を合計し、その値を合計点数として合計点数欄Ａ１２に表示する。
【００３９】
例えば、薬剤登録装置２０のＭＰＵ３１は、薬剤登録処理により新たな薬剤ＩＤの登録を行うと、図１０に示すように、当該薬剤ＩＤに係る薬剤の薬剤情報を、リスト表示欄Ａ１１に追加して表示する。なお、薬剤登録装置２０のＭＰＵ３１は、直近に登録された薬剤の薬剤情報を強調表示することで、直近に登録された薬剤をオペレータに明示する。
【００４０】
ところで、実際の現場においては、薬剤の登録を行った後に、その登録の取り消しを行うような場合がある。例えば、使用前の薬剤を登録してしまった場合や、同じ薬剤を重複して登録してしまったような場合等では、登録した薬剤を取り消す必要がある。そこで、本実施形態の薬剤登録装置２０では、取消ボタンＢ１１を介して、登録の取り消しを指示することが可能となっている。
【００４１】
具体的には、オペレータは、登録が完了した薬剤のうち、取り消しの対象となる薬剤（以下、取消薬剤という）をリスト表示欄Ａ１１から指定し、取消ボタンＢ１１を操作する。薬剤登録装置２０のＭＰＵ３１は、取消薬剤の指定と取消ボタンＢ１１の操作とを受け付けると（ステップＳ８；Ｙｅｓ）、指定された取消薬剤について使用薬剤記憶テーブルＴに登録された情報を削除することで登録を取り消す（ステップＳ９）。そして、薬剤登録装置２０のＭＰＵ３１は、リスト表示欄Ａ１１に表示された取消薬剤に対応付けて、登録を取り消したことを示す取消済情報を表示し（ステップＳ１０）、ステップＳ７に戻る。
【００４２】
図１１は、薬剤確認画面Ｇ４の一例を示す説明図である。同図に示す薬剤確認画面Ｇ４では、薬剤名「ＢＢＢ  １０００ｍＬ」の薬剤（取消薬剤）に、取消操作が行われた状態を示している。ここで、薬剤名「ＢＢＢ  １０００ｍＬ」のエントリーには、取消済情報として取り消し線Ｃ１１が付加（重畳表示）されている。
【００４３】
このように、本実施形態の薬剤登録装置２０では、登録が完了した薬剤について、登録の取り消しを容易に行うことができるため、薬剤の管理を効率的に行うことができる。また、本実施形態の薬剤登録装置２０では、登録の取り消しが行われた薬剤をリスト表示欄Ａ１１から消去せず、取り消し線Ｃ１１（取消済情報）を付加した状態で表示を継続する。これにより、オペレータは、何れの薬剤を取り消したのか一目で判別することができるため、薬剤管理の効率化を図るとともに利便性を向上させることができる。
【００４４】
また、リスト表示欄Ａ１１から、取消済情報が付された薬剤、つまり取り消し済みの薬剤が指定された場合には、薬剤登録装置２０のＭＰＵ３１は、図１１に示すように、取消ボタンＢ１１を取消解除ボタンＢ１２に置き換えて表示する。ここで、取消解除ボタンＢ１２は、登録の取り消しを行った薬剤について、その取り消しを解除する解除操作を行うための操作子である。
【００４５】
具体的には、オペレータは、登録の取り消しを行った薬剤の中から、解除の対象となる薬剤（以下、解除対象薬剤という）をリスト表示欄Ａ１１から指定し、取消解除ボタンＢ１２を操作する。薬剤登録装置２０のＭＰＵ３１は、解除対象薬剤の指定と取消解除ボタンＢ１２の操作とを受け付けると（ステップＳ８；Ｎｏ→ステップＳ１１；Ｙｅｓ）、指定された解除対象薬剤について保持している薬剤ＩＤ、薬剤情報や数量を、使用薬剤記憶テーブルＴに再登録する（ステップＳ１２）。そして、薬剤登録装置２０のＭＰＵ３１は、解除対象薬剤に対応づけて表示していた取消済情報を消去し（ステップＳ１３）、ステップＳ７に戻る（図１０参照）。
【００４６】
このように、本実施形態の薬剤登録装置２０では、登録の取り消しを行った薬剤について、その取り消しの解除を容易に行うことができるため、薬剤の管理を効率的に行うことができる。例えば、誤って登録した未使用の薬剤を取り消した後、当該薬剤を実際に使用したような場合に、取消解除ボタンＢ１２を操作することで再登録することができるため、スキャナ２２により再読み取りを必要とせず、効率的に処理を進めることができる。
【００４７】
また、薬剤確認画面Ｇ４において、印刷ボタンＢ１３は、薬剤伝票の出力を指示するための操作子である。薬剤登録装置２０のＭＰＵ３１は、印刷ボタンＢ１３の操作を受け付けると（ステップＳ８；Ｎｏ→ステップＳ１１；Ｎｏ→ステップＳ１４；Ｙｅｓ）、登録が完了した薬剤の薬剤ＩＤ、薬剤情報や数量等を含んだ薬剤伝票をプリンタ２３から出力し（ステップＳ１５）、処理を終了する。ここで、登録が完了した薬剤とは、リスト表示欄Ａ１１に表示された薬剤のうち、取消済情報が対応付けされていない薬剤を意味する。
【００４８】
なお、薬剤確認画面Ｇ４において、取消ボタンＢ１１（取消解除ボタンＢ１２）及び印刷ボタンＢ１３の何れもが操作されない場合には（ステップＳ８；Ｎｏ→ステップＳ１１；Ｎｏ→ステップＳ１４；Ｎｏ）、ステップＳ７へと戻る。
【００４９】
以上のように、本実施形態の薬剤登録装置２０によれば、ディスプレイ３５に表示された薬剤確認画面Ｇ４を介して、登録が完了した薬剤の取り消しと当該取り消しの解除とを行うことができる。これにより、登録が完了した薬剤の取り消しと当該取り消しの解除とを容易に行うことが可能であるため、薬剤の管理を効率的に行うことができる。
【００５０】
なお、本実施形態においては、手術中に追加使用された薬剤を登録することについて説明したが、これに限るものではない。例えば、手術以外の医療作業時において、使用された薬剤を登録するのに用いてもよい。また、追加使用される可能性がある薬剤を事前に登録しておくことで、薬剤投与ミスを投与前に発見することも可能である。
【００５１】
また、本実施形態の薬剤登録装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５２】
また、本実施形態の薬剤登録装置２０で実行される制御プログラムを、インターネット等のネットワークに接続されたコンピュータ上に格納し、ネットワーク経由でダウンロードさせることにより提供するように構成してもよい。また、本実施形態の薬剤登録装置２０で実行される制御プログラムをインターネット等のネットワーク経由で提供又は配布するように構成してもよい。
【００５３】
また、本実施形態の薬剤登録装置２０で実行される制御プログラムを、ＲＯＭ等に予め組み込んで提供するように構成してもよい。
【００５４】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５５】
例えば、上記実施形態では、取消操作が行われる毎に、指定された薬剤の登録を取り消す形態としたが、これに限らないものとする。例えば、薬剤登録装置２０のＭＰＵ３１は、印刷ボタンＢ１３の操作等、登録の終了を指示する操作が行われたタイミングで、それまでに取消操作で指定された各薬剤の取り消しを一度に行う形態としてもよい。また、この形態を採用する場合においても、取消操作で指定された薬剤には、取消済情報を対応付けて表示し、解除操作を受け付けると取消済情報の表示を消去する。これにより、取消操作及び解除操作に伴う、使用薬剤記憶テーブルＴへのアクセス回数（頻度）を抑えることができるため、処理の効率化を図ることができる。
【符号の説明】
【００５６】
２０  薬剤登録装置
２１  タッチパネルディスプレイ
２２  スキャナ
２３  プリンタ
２４  装置本体部
３１  ＭＰＵ
３２  ＲＯＭ
３３  ＲＡＭ
３４  外部記憶装置
３５  ディスプレイ
３６  タッチパネル
３８  通信インタフェース
４０  バス
３１１  登録手段
３１２  表示制御手段
３１３  読取手段
３１４  識別手段
３１５  出力制御手段
【先行技術文献】
【特許文献】
【００５７】
【特許文献１】特開２００２−１６３３５７号公報
【図１】
0006046564.tif 000002
【図２】
0006046564.tif 000003
【図３】
0006046564.tif 000004
【図４】
0006046564.tif 000005
【図５】
0006046564.tif 000006
【図６】
0006046564.tif 000007
【図７】
0006046564.tif 000008
【図８】
0006046564.tif 000009
【図９】
0006046564.tif 000010
【図１０】
0006046564.tif 000011
【図１１】
0006046564.tif 000012